(57)【要約】      （修正有）【課題】車室内側への水漏れを防止することのできるドアウエザストリップの取付構造を提供する。【解決手段】ドアウエザストリップは、ドア２の周縁部に沿って取付けられる取付基部１１と、取付基部１１から延出する中空シール部１２、サブシール部１３、及び背面シール部１４とを備える。ドア２はドアサッシュ５５の端末部がドアパネル５１の内側に差し込まれて溶接されてなり、ドアウエザストリップは、かかる溶接部に対応した型成形部７を備える。型成形部７には、取付基部１１の底面から背面シール部１４のドアパネル５１との当接部位まで一続きに延びるガイドリブ６１が一体的に形成され、型成形部７のうちベルトラインよりも上方のサブシール部１３が設けられるサッシュ対応部と、下方のサブシール部１３の存在しないパネル対応部４２との境界部を跨ぐようにして設けられ、溶接部においてドアサッシュ５５とドアパネル５１とに一連に圧接される。【選択図】図８
2010234997.tif 000002
【特許請求の範囲】
【請求項１】
車両のドアの周縁部に沿って取付けられる取付基部と、
前記取付基部と一体成形され、中空部を有してなる中空シール部と、
前記中空シール部よりも車外側において前記取付基部のドア外周側の部位から車外側に延出し、窓部を区画するドアサッシュ及びドアパネルの外周縁部の車内側面に当接する背面シール部と、
ドアの上辺部において前記中空シール部よりも車外側、かつ、前記背面シール部よりも車内側において前記取付基部からドア外周側に向けて延出するサブシール部とを備え、
前記ドアの閉鎖時には、前記中空シール部及び前記サブシール部が、車両本体に形成されたドア用開口部の周縁部に圧接して、前記車両本体と前記ドアとの間がシールされるドアウエザストリップの取付構造であって、
前記ドアは、前記ドアサッシュの端末部がドアパネルの内側に差し込まれて当該ドアパネルと溶接されてなり、
前記ドアウエザストリップは、前記ドアサッシュと前記ドアパネルとの溶接部に対応して配置されるコーナー部において型成形部を備え、
前記型成形部のうち、ベルトラインよりも下方に配置されるパネル対応部には前記サブシール部が存在しない構成であり、
前記型成形部には、前記取付基部の底面から前記背面シール部の前記ドアサッシュ又は前記ドアパネルとの当接部位まで一続きに延びるガイドリブが一体的に形成され、
前記ガイドリブは、前記取付基部の底面に設けられ、前記型成形部の長手方向に沿って延びる導入部と、前記背面シール部の裏面に設けられ、前記型成形部の長手方向に対して傾斜して延びる排出部と、前記型成形部の長手方向に対して傾斜して延び、前記導入部の下端部と前記排出部の上端部とを連結する連結部とを備え、
前記ガイドリブの前記導入部は、前記型成形部のうちベルトラインよりも上方に配置されて前記サブシール部が設けられるサッシュ対応部と、前記パネル対応部との境界部を跨ぐようにして配置され、
前記導入部が、前記溶接部において、前記ドアサッシュと、前記ドアパネルの外周縁部の車内側面とに一連に圧接されていることを特徴とするドアウエザストリップの取付構造。
【請求項２】
前記背面シール部には、前記排出部の上側面に対応して水抜き用の凹部が形成されていることを特徴とする請求項１に記載のドアウエザストリップの取付構造。
【請求項３】
前記型成形部は、ドアの上縁部に対応する上辺対応部とドアの縦縁部に対応する縦辺対応部とを備え、
前記排出部は前記縦辺対応部において形成されていることを特徴とする請求項１又は２に記載のドアウエザストリップの取付構造。
【請求項４】
前記導入部は、前記型成形部の上端部又は上端部近傍まで延設されていることを特徴とする請求項１乃至３のいずれか１項に記載のドアウエザストリップの取付構造。
【請求項５】
前記ドアウエザストリップのうち前記ドアパネルに配設される部位は、前記ドアウエザストリップの長手方向に沿って所定間隔毎に設けられたクリップのみで前記ドアパネルに固定され、
前記ガイドリブは、前記クリップによる固定位置よりも上方に設けられていることを特徴とする請求項１乃至４のいずれか１項に記載のドアウエザストリップの取付構造。
【請求項６】
前記型成形部には、当該型成形部を構成する素材よりも硬質な素材よりなり、型成形時にインサート成形されるインサート部材が設けられ、
前記インサート部材は、前記取付基部に埋設される本体部と、前記本体部から略直交する方向に延び、前記背面シール部に埋設される保持壁部とを備え、
前記インサートは、前記サブシール部が設けられた前記サッシュ対応部と、前記サブシール部が設けられていない前記パネル対応部との境界部を跨ぐようにして配置され、
前記背面シール部のうち前記保持壁部が埋設された部位の先端部位が、前記溶接部において、前記ドアサッシュと、前記ドアパネルの外周縁部の車内側面とに一連に圧接されていることを特徴とする請求項１乃至５のいずれか１項に記載のドアウエザストリップの取付構造。
【請求項７】
前記ドアサッシュには断面略Ｃ字状のリテーナ部が設けられ、
前記リテーナ部は、ドア内外周方向に対して交差する方向に突出し、前記取付基部の両側部を係止する係止部を備え、
前記係止部は、前記ドアサッシュのうち前記ドアパネルと溶接される端末近傍部位において、前記ドアサッシュの端末側に向けて、その突出長が次第に短く構成され、
前記背面シール部のうち前記保持壁部が埋設された部位の先端部位が、前記係止部の突出長が短く構成されている部位においても、前記ドアサッシュの車内側面と当接していることを特徴とする請求項６に記載のドアウエザストリップの取付構造。
【請求項８】
前記インサート部材は、前記型成形部の上端部近傍まで延設されていることを特徴とする請求項６又は７に記載のドアウエザストリップの取付構造。
【請求項９】
前記取付基部は、前記背面シール部よりもドア内周側の部位から車外側に突出する車外側係止片を備え、前記ドアサッシュのうち断面略Ｃ字状のリテーナ部を具備する部位に関しては、前記車外側係止片が前記リテーナ部に係止され、
前記インサート部材は、前記本体部から車外側に延出して、前記車外側係止片に埋設される係止片保持部を備え、
前記車外側係止片のうち少なくとも前記係止片保持部が埋設された部位の先端部位が前記溶接部と、その近傍の前記ドアサッシュ及び前記ドアパネルとに圧接されていることを特徴とする請求項６乃至８のいずれか１項に記載のドアウエザストリップの取付構造。
【発明の詳細な説明】
【技術分野】
【０００１】
本発明は、車両のドアに取付けられるドアウエザストリップの取付構造に関するものである。
【背景技術】
【０００２】
一般に、自動車等のボディに形成されたドア用開口部を開閉するドアの周縁部にはドアウエザストリップが取付けられる。ドアウエザストリップは、ドアの上辺部において、ドア周縁部に沿って設けられたドアサッシュのリテーナ部に取付けられる取付基部と、取付基部と一体形成され、中空部を有する中空シール部とを備えている。尚、ドアの下辺部においては、取付基部に複数のクリップが所定間隔で設けられ、それらのクリップによって取付基部がドアパネルの周縁部に取付けられている。また、ドアの上辺部においては、シール性の向上及び風切り音の抑制等を図るべく、中空シール部よりも車外側において取付基部の上部からドア外周側に向けて延出するサブシール部を備えたものも知られている。そして、ドアの閉鎖時には、ドアウエザストリップの中空シール部及びサブシール部が自動車ボディのドア用開口部の周縁部に圧接することによって、ドアと自動車ボディとの間がシールされる。
【０００３】
また、ドアウエザストリップは、取付基部の上部から車外側に向けて延びる背面シール部を備えている。そして、ドアウエザストリップをドアの周縁部に取付けることで、当該背面シール部の先端部位がドアサッシュ及びドアパネルの車内側面に圧接し、ドアとドアウエザストリップとの間がシールされるようになっている。
【０００４】
ところで、ドアは、インナパネルとアウタパネルとを具備し、両パネル間にドアガラス等が装備されるドアパネルと、ドアの窓部を区画するドアサッシュとを備え、ドアサッシュの端末をドアパネルの内側に差し込んで、当該ドアサッシュの端末とドアパネルとを溶接することにより構成されている。このため、ドアサッシュとドアパネルとの溶接部において段差が形成されてしまい、背面シール部とドアサッシュ及びドアパネルとの間に隙間が形成されてしまうおそれがある。これに起因して、自動車を高圧洗浄した場合等において、背面シール部とドアサッシュ及びドアパネルとの間の隙間から車室内側に水が浸入してしまうことが懸念される。
【０００５】
これに対し、例えば、取付基部の底面に対し、前記段差を跨ぐようにして延びる突条を設けるといった技術がある（例えば、特許文献１参照）。
【先行技術文献】
【特許文献】
【０００６】
【特許文献１】特開２００４−５８７３８号公報
【発明の概要】
【発明が解決しようとする課題】
【０００７】
上記特許文献１の技術を採用する場合、取付基部の底面に設けられた突条によって、背面シール部を潜って取付基部側に浸入した水が車室内側へ浸入してしまうことを抑制することができる。しかしながら、大量の水が背面シール部を潜って取付基部側に一度に浸入した場合等において、当該水を上手く処理しきれないことが懸念され、依然として、車室内側への水漏れが懸念される。
【０００８】
本発明は上記問題点を解決するためになされたものであって、その目的は、ドアサッシュとドアパネルとの溶接部におけるシール性の向上を図り、車室内側への水漏れを防止することのできるドアウエザストリップの取付構造を提供することにある。
【課題を解決するための手段】
【０００９】
以下、上記課題等を解決するのに適した各手段につき項分けして説明する。なお、必要に応じて対応する手段に特有の作用効果等を付記する。
【００１０】
手段１．車両のドアの周縁部に沿って取付けられる取付基部と、
前記取付基部と一体成形され、中空部を有してなる中空シール部と、
前記中空シール部よりも車外側において前記取付基部のドア外周側の部位から車外側に延出し、窓部を区画するドアサッシュ及びドアパネルの外周縁部の車内側面に当接する背面シール部と、
ドアの上辺部において前記中空シール部よりも車外側、かつ、前記背面シール部よりも車内側において前記取付基部からドア外周側に向けて延出するサブシール部とを備え、
前記ドアの閉鎖時には、前記中空シール部及び前記サブシール部が、車両本体に形成されたドア用開口部の周縁部に圧接して、前記車両本体と前記ドアとの間がシールされるドアウエザストリップの取付構造であって、
前記ドアは、前記ドアサッシュの端末部がドアパネルの内側に差し込まれて当該ドアパネルと溶接されてなり、
前記ドアウエザストリップは、前記ドアサッシュと前記ドアパネルとの溶接部に対応して配置されるコーナー部において型成形部を備え、
前記型成形部のうち、ベルトラインよりも下方に配置されるパネル対応部には前記サブシール部が存在しない構成であり、
前記型成形部には、前記取付基部の底面から前記背面シール部の前記ドアサッシュ又は前記ドアパネルとの当接部位まで一続きに延びるガイドリブが一体的に形成され、
前記ガイドリブは、前記取付基部の底面に設けられ、前記型成形部の長手方向に沿って延びる導入部と、前記背面シール部の裏面に設けられ、前記型成形部の長手方向に対して傾斜して延びる排出部と、前記型成形部の長手方向に対して傾斜して延び、前記導入部の下端部と前記排出部の上端部とを連結する連結部とを備え、
前記ガイドリブの前記導入部は、前記型成形部のうちベルトラインよりも上方に配置されて前記サブシール部が設けられるサッシュ対応部と、前記パネル対応部との境界部を跨ぐようにして配置され、
前記導入部が、前記溶接部において、前記ドアサッシュと、前記ドアパネルの外周縁部の車内側面とに一連に圧接されていることを特徴とするドアウエザストリップの取付構造。
【００１１】
手段１によれば、ドアサッシュとドアパネルとの溶接部に対応して設けられる型成形部には、取付基部の底面から背面シール部のドアサッシュ又はドアパネルとの当接部位まで一続きに延びるガイドリブが設けられ、ガイドリブのうち取付基部の底面（ドア内周側の面）に形成される部位である導入部が、前記溶接部においてドアサッシュ及びドアパネルに一連に圧接されている。当該ガイドリブ（導入部）により、前記溶接部において段差が形成されたとしても、ガイドリブを当該溶接部及びその近傍の表面形状に追従させるようにして変形させ、溶接部と取付基部との間に形成される隙間を極力なくすことができる。結果として、シール性の向上等を図ることができる。
【００１２】
また、例えば、背面シール部を潜って取付基部と背面シール部との間に大量の水が浸入した場合、かかる水を迅速に排出することができなければ、水圧によりガイドリブが傾倒変形させられ、車室内側に水が溢れてしまうおそれがある。これに対し、本手段１によれば、ガイドリブは、取付基部の底面から背面シール部のドアサッシュ又はドアパネルとの当接部位まで一続きに延びている。このため、背面シール部を潜って取付基部側に浸入した水を、背面シール部の先端部位に案内し、背面シール部よりもドア外周側に排出することができる。特に、ガイドリブのうち背面シール部に形成される部位である排出部は、ドアサッシュ又はドアパネルと当接しているため、背面シール部及び排出部とドアサッシュ又はドアパネルとの間に僅かでも隙間が形成される。これにより、ガイドリブにより背面シール部裏面の先端部位まで案内された水を比較的スムースに排出することができる。従って、取付基部と背面シール部との間に大量の水が浸入した場合であっても、当該水を比較的スムースに排出することができ、車室内側への水の浸入を防止することができる。
【００１３】
手段２．前記背面シール部には、前記排出部の上側面に対応して水抜き用の凹部が形成されていることを特徴とする手段１に記載のドアウエザストリップの取付構造。
【００１４】
手段２によれば、ガイドリブにより背面シール部の先端部位まで案内した水をより迅速に背面シール部よりもドア外周側に排出することができる。
【００１５】
手段３．前記型成形部は、ドアの上縁部に対応する上辺対応部とドアの縦縁部に対応する縦辺対応部とを備え、
前記排出部は前記縦辺対応部において形成されていることを特徴とする手段１又は２に記載のドアウエザストリップの取付構造。
【００１６】
ドアの縦縁部に対応しては、雨水等はほぼ真下へ流れ、取付基部とドアパネル（ドアサッシュ）との間から車室内側へ浸入するおそれが少ない。このため、本手段３のように排出部を縦辺対応部において形成することにより、背面シール部及び排出部とドアパネル（ドアサッシュ）との間に隙間が形成されたとしても、かかる隙間から車室内側に水が浸入してしまうといった事態を抑止することができる。尚、ガイドリブは、「前記取付基部の底面から前記背面シール部の前記ドアパネルとの当接部位まで一続きに延び」ていることとしてもよい。
【００１７】
手段４．前記導入部は、前記型成形部の上端部又は上端部近傍まで延設されていることを特徴とする手段１乃至３のいずれかに記載のドアウエザストリップの取付構造。
【００１８】
例えば、サブシール部が設けられているサッシュ対応部に関しては、高圧洗車等に際し、サブシール部の裏面（車外側の面）によって水が背面シール部側に案内され、背面シール部に対しより強い水圧が付加されることが懸念される。特に、型成形部においては、取付基部に対し、中空シール部の内側面等を形成するコア金型を抜き取るためのスリットを形成する必要があるため、背面シール部に勢いよく水が当ると、かかる水が背面シール部を潜って取付基部側に侵入してしまうおそれがある。これに対し、本手段４のように、ガイドリブをサブシール部が設けられたサッシュ対応部の上端部又は上端部近傍まで設けることにより、車室内側への水の浸入をより確実に防止することができる。
【００１９】
手段５．前記ドアウエザストリップのうち前記ドアパネルに配設される部位は、前記ドアウエザストリップの長手方向に沿って所定間隔毎に設けられたクリップのみで前記ドアパネルに固定され、
前記ガイドリブは、前記クリップによる固定位置よりも上方に設けられていることを特徴とする手段１乃至４のいずれかに記載のドアウエザストリップの取付構造。
【００２０】
近年、軽量化等の理由から、ドアパネルにおいて、取付基部を嵌め込む断面略Ｃ字状のリテーナ部が省略され、ドアウエザストリップをクリップのみでドア周縁（ドアパネル）に固定するものも存在する。ところが、ドアウエザストリップのうちクリップが設けられた部位の間の区間においては、取付基部をドアパネルに押さえ付ける力が弱く、取付基部の浮き上がりが発生しやすい。このため、取付基部の底面にガイドリブを設けたとしても、シール性の低下が懸念される。これに対し、本手段５のように、クリップによる固定位置よりも上方にガイドリブを設けることによって、車室内側への水の浸入をより確実に防止することができる。
【００２１】
手段６．前記型成形部には、当該型成形部を構成する素材よりも硬質な素材よりなり、型成形時にインサート成形されるインサート部材が設けられ、
前記インサート部材は、前記取付基部に埋設される本体部と、前記本体部から略直交する方向に延び、前記背面シール部に埋設される保持壁部とを備え、
前記インサートは、前記サブシール部が設けられた前記サッシュ対応部と、前記サブシール部が設けられていない前記パネル対応部との境界部を跨ぐようにして配置され、
前記背面シール部のうち前記保持壁部が埋設された部位の先端部位が、前記溶接部において、前記ドアサッシュと、前記ドアパネルの外周縁部の車内側面とに一連に圧接されていることを特徴とする手段１乃至５のいずれかに記載のドアウエザストリップの取付構造。
【００２２】
手段６によれば、背面シール部のうちドアサッシュとドアパネルとの溶接部及びその近傍に圧接される部位には、型成形部を構成する素材よりも硬質な素材よりなる保持壁部が埋設されている。このように保持壁部が埋設されることによって、背面シール部の先端部位をより強く溶接部及びその近傍に一連に押付けることができる。従って、前記溶接部において段差が形成されたとしても、背面シール部の先端部位を当該溶接部及びその近傍の表面形状に追従させるようにして変形させることができる。このため、溶接部と背面シール部との間に形成される隙間を極力なくすことができ、結果として、シール性の向上等を図ることができる。
【００２３】
特に、保持壁部は、本体部から略直交する方向に延びているため、背面シール部の先端部位と溶接部（ドアサッシュ等）とを当接させた際に、保持壁部が位置ずれしてしまう（例えば、保持壁部が車内側に位置ずれし、溶接部から離間してしまう）といった事態を抑制することができる。従って、保持壁部を埋設することによって、保持壁部が埋設された背面シール部の先端部位をより強く溶接部に押付けるといった作用効果が一層確実に奏される。
【００２４】
さらに、本手段６によれば、インサート部材は、サブシール部が設けられたサッシュ対応部と、サブシール部が設けられていないパネル対応部との境界部を跨ぐようにして設けられている。このため、例えば、高圧洗車等に際し、サッシュ対応部とパネル対応部との境界部から、サッシュ対応部のサブシール部の裏面側に浸入した水の圧力により、サッシュ対応部の背面シール部が変形させられ、そこから車室内側に水が浸入してしまうといった事態を防止することができる。
【００２５】
尚、本手段の構成を採用する場合、背面シール部の裏面にガイドリブを設けても隙間ができないことが考えられるので、水抜きの効果を確実にするべく、上記手段２のように、背面シール部の先端部に水抜き用の凹部を形成することが望ましい。
【００２６】
手段７．前記ドアサッシュには断面略Ｃ字状のリテーナ部が設けられ、
前記リテーナ部は、ドア内外周方向に対して交差する方向に突出し、前記取付基部の両側部を係止する係止部を備え、
前記係止部は、前記ドアサッシュのうち前記ドアパネルと溶接される端末近傍部位において、前記ドアサッシュの端末側に向けて、その突出長が次第に短く構成され、
前記背面シール部のうち前記保持壁部が埋設された部位の先端部位が、前記係止部の突出長が短く構成されている部位においても、前記ドアサッシュの車内側面と当接していることを特徴とする手段６に記載のドアウエザストリップの取付構造。
【００２７】
手段７によれば、ドアサッシュの端末において係止部等の突出部位をなくすことにより、上記のように、ドアサッシュの端末をドアパネルの内側に差し込んで溶接することができる。その一方で、係止部の突出長が短く構成されている部位、及び係止部の存在しない部位に関しては、取付基部をリテーナ部に嵌め込むことができないため、シール性の低下が懸念される。これに対し、本手段７のように、係止部の突出長が短く構成されている部位においても、保持壁部が埋設された背面シール部を延在させ、背面シール部とドアサッシュとの間のシール力を高めることで、リテーナ部が設けられていない（リテーナ部が好適な形状ではない）部位におけるシール性の低下を抑制することができる。尚、前記ドアサッシュの端末においては、前記係止部が完全に存在しない構成であることとしてもよい。
【００２８】
手段８．前記インサート部材は、前記型成形部の上端部近傍まで延設されていることを特徴とする手段６又は７に記載のドアウエザストリップの取付構造。
【００２９】
型成形部に関しては、中空シール部の内側面を形成するコア金型を抜き取る必要があるため、取付基部に対し中空シール部の中空部に連通するスリットが形成される。これに起因して、型成形部の形状維持が困難なものとなり、例えば、中空シール部がドア用開口部周縁と圧接して潰れ変形した場合に、当該変形に基づく応力によって背面シール部がドアサッシュから離れる側に傾倒変形してしまうことが懸念される。
【００３０】
これに対し、本手段８に記載のように、インサート部材を型成形部の上端部近傍まで延設することにより、型成形部の形状が維持され易くなる。特に、背面シール部に対し、本体部から延びる保持壁部が埋設されることによって、背面シール部がドアサッシュから離間するように変形してしまうといった事態を抑止することができる。従って、シール性の向上を図るといった上記作用効果が一層確実に奏される。
【００３１】
手段９．前記取付基部は、前記背面シール部よりもドア内周側の部位から車外側に突出する車外側係止片を備え、前記ドアサッシュのうち断面略Ｃ字状のリテーナ部を具備する部位に関しては、前記車外側係止片が前記リテーナ部に係止され、
前記インサート部材は、前記本体部から車外側に延出して、前記車外側係止片に埋設される係止片保持部を備え、
前記車外側係止片のうち少なくとも前記係止片保持部が埋設された部位の先端部位が前記溶接部と、その近傍の前記ドアサッシュ及び前記ドアパネルとに圧接されていることを特徴とする手段６乃至８のいずれかに記載のドアウエザストリップの取付構造。
【００３２】
手段９によれば、車外側係止片に係止片保持部が埋設されているため、車外側係止片を、溶接部を含むドアサッシュ及びドアパネルにより強く押付けることができる。このため、上記した背面シール部と溶接部を含むドアサッシュ及びドアパネルとの間のシール性を高めるだけでなく、車外側係止片とリテーナ部等との間のシール性を高めることができる。結果として、ドアウエザストリップとドアサッシュ等との間から水が車室内側に浸入してしまうといった事態をより確実に防止することができる。
【図面の簡単な説明】
【００３３】
【図１】リアドアが開状態にある自動車の斜視図である。
【図２】ドアウエザストリップの正面図である。
【図３】ドアウエザストリップを示す図２のＪ−Ｊ線断面図である。
【図４】型成形部を車内側から見た正面図である。
【図５】型成形部を取付基部側から見た正面図である。
【図６】ドアウエザストリップを示す図４のＫ−Ｋ線断面図である。
【図７】ドアウエザストリップを示す図４のＬ−Ｌ線断面図である。
【図８】ドアウエザストリップを示す図４のＭ−Ｍ線断面図である。
【図９】ドアウエザストリップを示す図４のＮ−Ｎ線断面図である。
【図１０】ドアウエザストリップを示す図４のＯ−Ｏ線断面図である。
【図１１】溶接部及びガイドリブを示す模式断面図である。
【図１２】ガイドリブの排出部とドアパネルとの当接部位をドア外周側から見た模式図である。
【発明を実施するための形態】
【００３４】
以下に、一実施形態について図面を参照して説明する。図１に示すように、車両としての自動車Ｍには、自動車ボディ１（車両本体）に形成されたドア用開口部１ａを開閉する自動車ドア（図ではリアドア：以下、単に「ドア２」という）が設けられている。また、ドア２の外周縁には、ドア２の閉鎖時においてドア２とドア用開口部１ａの周縁部との間をシールするドアウエザストリップ３が取着されている。加えて、ドア２には、ベルトラインに沿ってガラスウエザストリップ（ベルトラインモール９）が設けられている。
【００３５】
尚、詳しくは後述するが、ドア２は、インナパネル５２とアウタパネル５３とを具備し（図９等参照）、両パネル５２、５３間にドアガラスＧ等が装備されるドアパネル５１と、ドア２の窓部Ｗを区画するドアサッシュ５５（図３等参照）とを備え、ドアサッシュ５５の後側の端末をドアパネル５１の内側に差し込んで（図８参照）、当該ドアサッシュ５５の端末とドアパネル５１とを溶接することにより構成されている。
【００３６】
図２に示すように、ドアウエザストリップ３は、ドア２の上縁部に沿って配設される押出成形部４と、ドア２の前後の縦縁部及び下縁部に沿って配設される押出成形部５と、押出成形部４、５の端部同士を接続する型成形部（同図散点模様を付した部分）６、７とを備え、全体として略環状に構成されている。押出成形部４、５は、図示しない押出成形機により長尺状に形成される。また、型成形部６、７は、ドア２のコーナー部に配設され、隣接する押出成形部４、５の端部同士を接続するようにして所定の金型装置によって形成される。本実施形態では、ドアウエザストリップ３は、スポンジＥＰＤＭ（エチレン−プロピレン−ジエン共重合体ゴム）で構成されている。また、ドア２の上縁部の後側の部位は、後方に向けて下方傾斜する斜辺部となっている。
【００３７】
図３に示すように、押出成形部４は、ドア２の外周縁に沿って設けられたドアサッシュ５５（詳しくは後述する断面略Ｃ字状のリテーナ部ＤＲ）に嵌合される取付基部１１と、当該取付基部１１の車内側で、かつドア２の外周側に突出形成され、内部に中空部１２ａを有してなる中空シール部１２と、中空シール部１２よりも車外側において取付基部１１からドア２の外周側に延出したサブシール部１３と、サブシール部１３よりも車外側において該サブシール部１３の根元部の取付基部１１から車外側に延出した背面シール部１４とを備えている。本実施形態では、押出成形により、取付基部１１、中空シール部１２、サブシール部１３、及び背面シール部１４がいずれも同じ材料で同時に成形される。そして、ドア２の閉鎖時に、中空シール部１２及びサブシール部１３が自動車ボディ１のドア用開口部１ａの周縁部に圧接し、これにより、自動車ボディ１とドア２との間がシールされる。
【００３８】
取付基部１１は、略平板状の底板部１１ａと、底板部１１ａの上面の車外側の部位からドア２の外周側に向けて延出する車外側側壁部１１ｂと、車外側側壁部１１ｂの略先端部と前記底板部１１ａの上面の車内側の部位とを連結するブリッジ部１１ｃとを備えている。また、車外側側壁部１１ｂと底板部１１ａ、及び、ブリッジ部１１ｃと底板部１１ａの各連接部は、底板部１１ａの両側辺部よりもそれぞれ内側（底板部１１ａの車内外方向中央部側）に位置しており、これによって、底板部１１ａには、ブリッジ部１１ｃよりも車内側に位置する車内側片部２１と、車外側側壁部１１ｂよりも車外側に位置する車外側片部２２とが形成されている。加えて、本実施形態では、中空シール部１２は、車外側側壁部１１ｂとブリッジ部１１ｃとの連接部と、底板部１１ａとブリッジ部１１ｃとの連接部とにかけて、車内側で、かつドア２の外周側に凸となるように湾曲形成されている。
【００３９】
また、図３に示すように、ドアサッシュ５５は、断面略Ｃ字状のリテーナ部ＤＲを備えており、リテーナ部ＤＲは、ドアウエザストリップ３の取付基部１１の底板部１１ａのうちドア２の内周側の面と対向する底壁部３２と、底壁部３２の車内側端縁から上方に延出し、先端側が車外側に折り曲げられた車内側係止部３３と、底壁部３２の車外側端縁から上方に延出し、先端側が車内側に折り曲げられた車外側係止部３４とを備えている。尚、ドアサッシュ５５は、車外側係止部３４の先端縁から車外側係止部３４のドア２の外周側に折り返して車外側に向けて延びる折返し部３５と、折返し部３５の車外側端縁からドア２の外周側に向けて延出する縦壁部３６とを備えている。また、車内側係止部３３及び車外側係止部３４の各先端側の部位、及び折返し部３５は、ドアウエザストリップ３の取付方向に対してほぼ直交する方向に延びている。尚、折返し部３５は、ドアウエザストリップ３の取付状態において、背面シール部１４よりもドア２の内周側に位置している。
【００４０】
そして、ドアウエザストリップ３の取付基部１１の底板部１１ａが、ドアサッシュ５５のリテーナ部ＤＲの底壁部３２、車内側係止部３３、及び車外側係止部３４の内側に嵌め込まれることで、取付基部１１（底板部１１ａ）の車内側片部２１が車内側係止部３３に係止され、車外側片部２２が車外側係止部３４に係止される。また、背面シール部１４の先端部位が縦壁部３６に当接する。
【００４１】
尚、押出成形部５についても、基本的に押出成形部４と同様の断面形状をなし、取付基部１１、中空シール部１２、背面シール部１４等を備えている。但し、押出成形部５に関しては、サブシール部１３が省略されている。
【００４２】
また、図９等に示すように、ドアパネル５１においては、軽量化等の理由から、ドアサッシュ５５に設けられたようなリテーナ部ＤＲが省略されている。このため、ドアウエザストリップ３のうちドアパネル５１に取付けられる部位に関しては、ドアウエザストリップ３の長手方向に沿って所定間隔毎に設けられたクリップが、インナパネル５２のうち車外側に折り返された部位に形成された取付孔に嵌め込まれることでドア２に取付けられている（図示略）。また、ドアウエザストリップ３のうちドアパネル５１に取付けられる部位に関しては、ドアパネル５１に取付けられたドアウエザストリップ３よりも車外側において、インナパネル５２がドア２の外周側に折り返されることで形成された縦壁部３６に対し、背面シール部１４の先端部位が圧接されている。
【００４３】
尚、ドア２の縦縁部に対応しては、雨水等はほぼ真下へ流れ、取付基部１１とドアサッシュ５５及びドアパネル５１との間から車室内側へ浸入するおそれが少ないため、所定間隔をあけて間欠的に取付けられるクリップのみでもシール性は十分に確保される。
【００４４】
これに対し、ドア２の上縁部（及び斜辺部）に対応しては、クリップで固定するのみでは、ドアウエザストリップ３とドアサッシュ５５との間のシール性を十分に確保することが難しい。このため、当該部位については、基本的に、上記のようにリテーナ部ＤＲが設けられている。
【００４５】
さて、本実施形態では、図４の二点鎖線で示すＸ−Ｘ線の位置にベルトラインが設定されており、押出成形部４のうちドア２の斜辺部に配設される側の端末（後側の端末）と押出成形部５とを接続する型成形部７は、ベルトライン（ベルトラインモール９に対応する部位）を上下に跨ぐようにして配設されている。特に、本実施形態では、型成形部７のうちドア２の斜辺部に対応する部位（後方に向けて下方傾斜している部位）において、ベルトラインと交錯している。
【００４６】
図６等に示すように、型成形部７のうち、ベルトラインよりも上方に設けられる部位（以下、サッシュ対応部４１と称する）に関しては、基本的に押出成形部４と同様の断面形状を有しており、サッシュ対応部４１には、押出成形部４のサブシール部１３と連続して延びるサブシール部１３が設けられている。
【００４７】
図１０等に示すように、型成形部７のうち、ベルトラインよりも下方に設けられる部位（以下、パネル対応部４２と称する）に関しては、基本的に押出成形部５と同様の断面形状をなしている。すなわち、パネル対応部４２には、押出成形部５と同様にサブシール部１３が省略されており、これによって、意匠性の向上が図られている。ちなみに、サッシュ対応部４１とパネル対応部４２との連結部においては、サブシール部１３の断面形状が徐々に変化している。尚、図示は省略するが、パネル対応部４２は、押出成形部５と同様に、クリップによってドアパネル５１に取付けられている。
【００４８】
さらに、型成形部７の取付基部１１には、中空シール部１２の内側面等を形成するコア金型を抜き出すためのスリット４３が、型成形部７の長手方向略全域に形成されている。尚、同様の理由から、型成形部７に関しては、ブリッジ１１ｃが省略されている。
【００４９】
また、図８に示すように、本実施形態では、ドアサッシュ５５の後側の端末が、ベルトラインからドアパネル５１の内側（インナパネル５２とアウタパネル５３との間）に差し込まれ、当該ドアサッシュ５５の端末とドアパネル５１とが溶接されている。以下、ドアサッシュ５５とドアパネル５１とが溶接された部位を「溶接部５７」と称する（図１１参照）。
【００５０】
さらに、図７に示すように、ドアサッシュ５５のうち溶接部５７の近傍部位においては、ドアサッシュ５５の後側の端末に向けて、車外側係止部３４及び折返し部３５の突出長が次第に短くなっている。加えて、ドアサッシュ５５の後側の端末においては車内側係止部３３についても省略されている。これにより、上記のように、ドアサッシュ５５の後側の端末をドアパネル５１の内側に差し込めるようになっている。
【００５１】
尚、上記のように、本実施形態では、型成形部７のうちドア２の斜辺部に対応する部位が、ベルトラインの後端末と交錯する構成となっているため、当該溶接部５７は、ドアウエザストリップ３が斜めに配設される部位において形成されている。
【００５２】
さて、図５に示すように、型成形部７には、取付基部１１の底面から背面シール部１４の略先端部まで一続きに延びるガイドリブ６１が一体的に形成されている。ガイドリブ６１は、取付基部１１の底面（底板部１１ａのドア２内周側の面）において前記スリット４３よりも車外側の部位に設けられ、型成形部７の長手方向に沿って延びる導入部６２と、背面シール部１４の裏面（ドア２内周側の面）に設けられ、型成形部７の長手方向に対して傾斜して延びる排出部６３と、導入部６２の下端部と排出部６３の上端部とを連結するようにして、底板部１１ａのドア２内周側の面と、車外側係止片２２のドア２内周側の面、車外側の面、及びドア２外周側の面と、車外側側壁部１１ｂの車外側の面とに設けられ、型成形部７の長手方向に対して傾斜して延びる連結部６４とを備えている。また、ガイドリブ６１は断面略三角形状をなしている。
【００５３】
導入部６２は、サブシール部１３が設けられたサッシュ対応部４１と、サブシール部１３が設けられていないパネル対応部４２とを跨ぐようにして設けられている。特に、本実施形態では、導入部６２は、型成形部７の上端部近傍位置まで延設されている。そして、ドアウエザストリップ３のドアサッシュ５５（ドアパネル５１）への取付状態においては、図１１に示すように、ガイドリブ６１の導入部６２が、溶接部５７においてドアサッシュ５５及びドアパネルサッシュ５１（縦壁部３６）に一連に圧接している。また、背面シール部１４の裏面に形成された排出部６３は、ドアパネル５１（インナパネル５２）の縦壁部３６に圧接している。
【００５４】
さらに、図５、図９、図１２等に示すように、背面シール部１４には、排出部６３の上側面に対応して、ガイドリブ６１に案内された水を背面シールリップ１４のドア２外周側に抜くための凹部６７が形成されている。また、排出部６３（凹部６７）は、型成形部７のうちドア２の後縁部に沿って上下に配設される部位において、パネル対応部４２のうち前記クリップ（図示略）によってドアパネル５１に固定されている部位よりも上方に設けられている。尚、本実施形態では、型成形部７のうちドア２の上縁部（斜辺部）に沿って斜めに配設される部位が上辺対応部に相当し、ドア２の後縁部に沿って上下に配設される部位が縦辺対応部に相当する。
【００５５】
また、図６〜図９に示すように、型成形部７には、ポリアミド樹脂よりなるインサート部材４５が埋設（インサート成形）されている。インサート部材４５は、取付基部１１（車外側側壁部１１ｂ）に埋設される略平板状の本体部４６と、本体部４６のドア２外周側端縁から車外側に向けて本体部４６に対して略直交する方向に延び、背面シール部１４に埋設される保持壁部４７と、本体部４６のドア２内周側端縁から車外側に向けて本体部４６に対して略直交する方向に延び、車外側係止片２２に埋設される係止片保持部４８とを備え、断面略コ字状をなしている。当該インサート部材４５は、サブシール部１３が設けられたサッシュ対応部４１と、サブシール部１３が設けられていないパネル対応部４２とを跨ぐようにして埋設されている。特に、本実施形態では、インサート部材４５は、型成形部７の上端部近傍位置まで一続きに延設されている。そして、ドアウエザストリップ３のドアサッシュ５５（ドアパネル５１）への取付状態においては、背面シール部１４のうち保持壁部４７が埋設された部位の先端部位が、溶接部５７においてドアサッシュ５５及びドアパネル５１（縦壁部３６）に一連に圧接している。また、係止片保持部４８が埋設された車外側係止片２２についても、保持壁部４７が埋設された背面シール部１４と同様の範囲において、その先端部位がドアサッシュ５５及びドアパネル５１に圧接している。
【００５６】
尚、パネル対応部４２は、その上端部については、接続の都合上、ドア２の車外側の面の後端縁近傍に配置されているが、下側の部位になるにつれ、次第にドア２内周側かつ車内側に配置されている。
【００５７】
また、型成形部７とは別の型成形部６については、基本的に押出成形部４と同様の断面形状をなし、取付基部１１、中空シール部１２、背面シール部１４等を備えている。但し、型成形部６のうちドア２の前縦縁部に対応する部位に関しては、サブシール部１３が省略されている。
【００５８】
以上詳述したように、本実施形態では、ドアサッシュ５５とドアパネル５１との溶接部５７に対応して設けられる型成形部７には、取付基部１１の底面から背面シール部１４のドアパネル５１（インナパネル５２の縦壁部３６）との当接部位まで一続きに延びるガイドリブ６１が設けられ、ガイドリブ６１のうち取付基部１１の底面（ドア２内周側の面）に形成される部位である導入部６２が、前記溶接部５７においてドアサッシュ５５及びドアパネル５１に一連に圧接されている。当該ガイドリブ６１（導入部６２）により、前記溶接部５７において段差が形成されたとしても、ガイドリブ６１を当該溶接部５７及びその近傍の表面形状に追従させるようにして変形させ、溶接部５７と取付基部１１との間に形成される隙間を極力なくすことができる。結果として、シール性の向上等を図ることができる。
【００５９】
また、例えば、背面シール部１４を潜って取付基部１１と背面シール部１４との間に大量の水が浸入した場合、かかる水を迅速に排出することができなければ、水圧によりガイドリブ６１が傾倒変形させられ、車室内側に水が溢れてしまうおそれがある。これに対し、本実施形態によれば、ガイドリブ６１は、取付基部１１の底面から背面シール部１４のドアパネル５１（インナパネル５２の縦壁部３６）との当接部位まで一続きに延びている。このため、背面シール部１４を潜って取付基部１１側に浸入した水を、背面シール部１４の先端部位に案内し、背面シール部１４よりもドア２外周側に排出することができる。特に、ガイドリブ６１のうち背面シール部１４に形成される部位である排出部６３は、ドアパネル５１と当接している上、背面シール部１４には、排出部６３の上側面に対応して水抜き用の凹部６７が形成されている。このため、背面シール部１４及び排出部６３とドアパネル５１との間に隙間が形成され、ガイドリブ６１によって背面シール部１４裏面の先端部位まで案内された水を比較的スムースに排出することができる。従って、取付基部１１と背面シール部１４との間に大量の水が浸入した場合であっても、当該水を比較的スムースかつ迅速に排出することができ、車室内側への水の浸入を防止することができる。
【００６０】
さらに、排出部６３（凹部６７）は、型成形部７のうちドア２の後縁部に沿って上下に配設される部位において形成されている。すなわち、ドア２の縦縁部に対応しては、雨水等はほぼ真下へ流れ、取付基部１１とドアパネル５１（ドアサッシュ５５）との間から車室内側へ浸入するおそれが少ない。このため、背面シール部１４及び排出部６３とドアパネル５１との間に隙間（凹部６７）が形成されたとしても、かかる隙間から車室内側に水が浸入してしまうといった事態を抑止することができる。ちなみに、押出成形部４に関しては、取付基部１１に対しコア金型を抜き取るためのスリット４３を形成する必要がなく、ブリッジ部１１ｃを設けることができる。このため、型成形部７に比べ、背面シール部１４等のシール力が高い。このため、型成形部７に比べ水が背面シール部１４を潜って取付基部１１側に浸入してしまうおそれが少なく、ガイドリブ６１等を設けなくても十分にシール性が確保される。
【００６１】
また、例えば、型成形部７のうちサブシール部１４が設けられているサッシュ対応部４１に関しては、高圧洗車等に際し、サブシール部１４の裏面（車外側の面）によって水が背面シール部１４側に案内され、背面シール部１４に対しより強い水圧が付加されることが懸念される。特に、型成形部７においては、取付基部１１に対し、中空シール部１２の内側面等を形成するコア金型を抜き取るためのスリット４３を形成する必要があるため、背面シール部１４に勢いよく水が当ると、かかる水が背面シール部１４を潜って取付基部１１側に侵入してしまうおそれがある。これに対し、本実施形態のように、ガイドリブ６１（導入部６２）を、型成形部７の上端部近傍まで延設することにより、車室内側への水の浸入をより確実に防止することができる。
【００６２】
さらに、例えば、ドアウエザストリップ３のうち長手方向に沿って所定間隔毎にクリップが設けられ、当該クリップのみでドア２に取付けられる部位に関し、クリップが設けられた部位の間の区間においては、取付基部１１をドアパネル５１に押さえ付ける力が弱く、取付基部１１の浮き上がりが発生しやすい。このため、取付基部１１の底面にガイドリブ６１を設けたとしても、シール性の低下が懸念される。これに対し、本実施形態では、パネル対応部４２のうちクリップが設けられた部位よりも上方にガイドリブ６１が設けられている。このため、車室内側への水の浸入をより確実に防止することができる。
【００６３】
加えて、ガイドリブ６１は型成形部７と一体的に形成されているため、例えば、別体のガイドリブを貼着するような場合に比べ、製造作業性の向上を図ることができる上、ガイドリブ６１の位置ずれを防止することができる。
【００６４】
また、本実施形態では、背面シール部１４のうちドアサッシュ５５とドアパネル５１との溶接部５７に圧接される部位には、型成形部７を構成する素材（ＥＰＤＭ）よりも硬質な素材（ポリアミド樹脂）よりなる保持壁部４７が埋設されている。このように保持壁部４７が埋設されることによって、背面シール部１４の先端部位をより強く溶接部５７を含むドアサッシュ５５及びドアパネル５１（縦壁部３６）に押付けることができる。従って、前記溶接部５７において段差が形成されたとしても、背面シール部１４の先端部位を当該溶接部５７及びその近傍の表面形状に追従させるようにして変形させることができる。このため、溶接部５７と背面シール部１４との間に形成される隙間を極力なくすことができ、結果として、シール性の向上等を図ることができる。
【００６５】
特に、保持壁部４７は、本体部４６から略直交する方向に延びているため、背面シール部１４の先端部位と溶接部５７（ドアサッシュ５５等）とを当接させた際に、保持壁部４７が位置ずれしてしまう（例えば、保持壁部４７が車内側に位置ずれし、ドアサッシュ５５等から離間してしまう）といった事態を抑制することができる。従って、保持壁部４７を埋設することによって、保持壁部４７が埋設された背面シール部１４の先端部位をより強く溶接部５７に押付けるといった作用効果が一層確実に奏される。
【００６６】
さらに、本実施形態によれば、インサート部材４５は、サブシール部１３が設けられたサッシュ対応部４１と、サブシール部１３が設けられていないパネル対応部４２との境界部を跨ぐようにして設けられている。このため、例えば、高圧洗車等に際し、サッシュ対応部４１とパネル対応部４２との境界部から、サッシュ対応部４１のサブシール部１３の裏面側に浸入した水の圧力により、サッシュ対応部４１の背面シール部１４が変形させられ、そこから車室内側に水が浸入してしまうといった事態を防止することができる。
【００６７】
また、本実施形態では、ドアサッシュ５５の後側の端末をドアパネル５１の内側に差し込んで溶接する都合上、ドアサッシュ５５の後側の端末近傍部位において、車外側係止部３４及び折返し部３５の突出長が、ドアサッシュ５５の端末側に向けて次第に短く構成されている。しかしながら、この場合、車外側係止部３４及び折返し部３５（及び車内側係止部３３）の突出長が短く構成されている部位に関しては、取付基部１１をリテーナ部ＤＲに嵌め込むことができないため、シール性の低下が懸念される。特に、ドアサッシュ５５の後側は斜辺部であるため、シール性の低下を招く場合、車室内側へ水が浸入してしまうおそれがある。
【００６８】
これに対し、本実施形態では、インサート部材４５が型成形部７の上端部近傍まで延設されている。これにより、車外側係止部３４及び折返し部３５の突出長が短く構成されている部位においても、保持壁部４７が埋設された背面シール部１４を延在させ、背面シール部１４とドアサッシュ５５等との間のシール力を高めることができる。従って、リテーナ部ＤＲが設けられていない（リテーナ部ＤＲが好適な形状ではない）部位におけるシール性の低下を抑制することができる。
【００６９】
さらに、型成形部７に関しては、中空シール部１２の内側面を形成するコア金型を抜き取る必要があるため、取付基部１１に対し中空シール部１２の中空部１２ａに連通するスリット４３が形成される。これに起因して、型成形部７の形状維持が困難なものとなり、例えば、中空シール部１２がドア用開口部４周縁と圧接して潰れ変形した場合に、当該変形に基づく応力によって背面シール部１４がドアサッシュ５５等から離れる側に傾倒変形してしまうことが懸念される。
【００７０】
これに対し、本実施形態では、インサート部材４５を型成形部７の上端部近傍まで延設することにより、型成形部７の形状が維持され易くなっている。特に、背面シール部１４に対し、本体部４６から延びる保持壁部４７が埋設されることによって、背面シール部１４がドアサッシュ５５等から離間するように変形してしまうといった事態を抑止することができる。従って、シール性の向上を図るといった上記作用効果が一層確実に奏される。
【００７１】
また、インサート部材４５は、本体部４６から車外側に延出して、車外側係止片２２の内側に埋設される係止片保持部４８を備えており、当該係止片保持部４８が埋設された車外側係止片２２の先端部位はドアサッシュ５５等（縦壁部３６）に圧接されている。このように車外側係止片２２に係止片保持部４８を埋設して車外側係止片２２をドアサッシュ５５等に圧接させることで、車外側係止片２２をドアサッシュ５５等により強く押付けることができる。このため、背面シール部１４とドアサッシュ５５等との間のシール性を高めるだけでなく、車外側係止片２２とドアサッシュ５５等との間のシール性を高めることができる。結果として、ドアウエザストリップ３とドアサッシュ５５等との間から水が車室内側に浸入してしまうといった事態をより確実に防止することができる。
【００７２】
尚、上記実施の形態の記載内容に限定されず、例えば次のように実施してもよい。勿論、以下において例示しない他の応用例、変更例も当然可能である。
【００７３】
（ａ）上記実施形態ではガイドリブ６１が断面略三角形状に構成されているが、ガイドリブ６１の断面形状は特に限定されるものではない。例えば、車外側（連結部６４及び排出部６３においてはドア２外周側）に傾倒するリップ状に構成してもよい。
【００７４】
さらに、上記実施形態において、水抜き用の凹部６７を省略してもよい。但し、上記実施形態のように背面シール部１４にインサート４５（保持壁部４７）が埋設される場合、前記凹部６７を設けることが望ましい。
【００７５】
（ｂ）上記実施形態では、インサート部材４５が断面略コ字状に構成されているが、少なくとも本体部４６と、本体部４６からほぼ直交して延び、背面シール部１４に埋設される保持壁部４７とを備えていればよく、例えば、断面略コ字状、断面略Ｔ字状に構成することとしてもよい。また、例えば、サッシュ対応部４１とパネル対応部４２との境界部を跨ぐようにして延びる部位は断面略コ字状に構成し、その上の車外側係止部３４及び折返し部３５の突出長が小さくなる部位（車外側係止部３４及び折返し部３５が形成されていない部位を含む）は断面略Ｌ字状に構成し、それよりも上側は本体部４６のみの略板状に構成することとしてもよい。当該構成を採用する場合、断面略Ｌ字状及び板状部分において、ドアウエザストリップ３をドアサッシュ５５に取付ける際の作業性の向上を図ることができる。尚、インサート部材４５を省略することも可能である。
【００７６】
（ｃ）上記実施形態では、ドア２の斜縁部を含む上辺部に対応して１本の押出成形部４が設けられているが、ドア２のうち略水平方向に延びる上縁部に対応する押出成形部と、上縁部の後端部から下方傾斜して延びる斜縁部に対応する押出成形部と、両押出成形部を接続する型成形部とを設けることとしてもよい。当該ドアウエザストリップについても、上記構成を適用することも可能である。
【００７７】
また、上記実施形態では特に言及していないが、型成形部７に埋設されるインサート部材４５は、型成形部７のうちドア２の後縁部に対応する部位にまで延設されていることとしてもよい。この場合、ドアウエザストリップ３が斜めに配設される部位において、ドアウエザストリップ３とドアサッシュ５５との間を介して、水が上方から下方に抜け、車室内側に進入してしまうといった事態をより確実に防止することができる。
【００７８】
（ｄ）上記実施形態では、リアドアのドアウエザストリップ３について具体化したが、例えばフロントドア等その他のドアに取着されるドアウエザストリップにも適用することもできる。尚、一般に、フロントドアに関しては、ドアサッシュ５５の前側の端縁がドアパネル５１の内側に差し込まれ、ドアパネル５１と溶接されているため、ドアサッシュ５５の前側の端縁とドアパネル５１との溶接部に取付けられる部位に関し、上記実施形態と同様の構成を採用することが望ましい。
【００７９】
また、上記実施形態では、ドアウエザストリップ３をＥＰＤＭにより構成しているが、オレフィン系熱可塑性エラストマー（ＴＰＯ）等の他の素材により構成してもよい。さらに、上記実施形態では、取付基部１１、中空シール部１２、サブシール部１３、及び背面シール部１４がいずれも同一の材料で構成されているが、部分的に異なる材料を使用してもよい。例えば、中空シール部１２、サブシール部１３、及び背面シール部１４をスポンジＥＰＤＭで構成し、取付基部１１をソリッドＥＰＤＭ又は微発泡のスポンジＥＰＤＭで構成することとしてもよい。
【００８０】
また、上記実施形態のインサート部材４５はポリアミド樹脂により構成されているが、ドアウエザストリップ３の弾性材料（ゴム材料）より剛性の高い又は硬質の材料であれば、特にポリアミド樹脂に限定されるものではなく、例えばポリエステル樹脂等の熱可塑性樹脂材料により構成してもよい。但し、型成形部加硫時において、溶融等を起こさない材料であることが望ましい。
【符号の説明】
【００８１】
１…自動車ボディ、１ａ…ドア用開口部、２…ドア、３…ドアウエザストリップ、４，５…押出成形部、６，７…型成形部、１１…取付基部、１２…中空シール部、１３…サブシール部、１４…背面シール部、２２…車外側係止片、３２…底壁部、３３…車内側係止部、３４…車外側係止部、３５…支持部、３６…縦壁部、４１…サッシュ対応部、４２…パネル対応部、４５…インサート部材、４６…本体部、４７…保持壁部、４８…係止片保持部、５１…ドアパネル、５５…ドアサッシュ、５７…溶接部、６１…ガイドリブ、６２…導入部、６３…排出部、６４…連結部、６７…凹部、ＤＲ…リテーナ部、Ｇ…ドアガラス、Ｍ…自動車、Ｗ…窓部。
【図１】
2010234997.tif 000003
【図２】
2010234997.tif 000004
【図３】
2010234997.tif 000005
【図４】
2010234997.tif 000006
【図５】
2010234997.tif 000007
【図６】
2010234997.tif 000008
【図７】
2010234997.tif 000009
【図８】
2010234997.tif 000010
【図９】
2010234997.tif 000011
【図１０】
2010234997.tif 000012
【図１１】
2010234997.tif 000013
【図１２】
2010234997.tif 000014